(57)【特許請求の範囲】
【請求項１】
通信ネットワークを介しサーバークライアント関係により、複数のクライアントコンピュータに連結された競売のためのサーバーコンピュータにより実行されるオンライン競売方法において、
前記サーバーは、競売対象である製品名情報と当該製品の競売が開設中か終了したかを示す競売情報とを記述した競売データベース、各競売における現在価格を示すヒストリーデータベース、キャッシュ提供者のキャッシュを記述したキャッシュ提供者データベースを記録部に記録しており、
(a)前記サーバーが、前記クライアントコンピュータから、競売対象の製品名情報を受け取ると、前記競売データベースの競売情報を参照して、特定製品に対して開設された競売が存在するかどうかを判断する工程と；
(b)開設された競売が存在しない場合、前記サーバーが、前記競売データベースに、前記製品に対して新しく開設する競売を記録する工程と；
(c)前記サーバーが、前記開設された競売の使用者が使用する前記クライアントコンピュータから、現在価格の閲覧要求を受けた場合、予め定められた現在価格閲覧キャッシュの金額だけ、前記ヒストリーデータベースに記録された前記製品の現在価格を下落させるとともに、当該下落した現在価格を前記クライアントコンピュータに表示させ、前記キャッシュ提供者データベースに記録されたキャッシュ提供者のキャッシュから前記現在価格閲覧キャッシュを差し引いて減額したキャッシュを記録し、これにより、使用者が現在価格閲覧を要求するにつれて前記製品の現在価格を連続的に下落させる工程と；
(d)前記サーバーが、前記使用者のクライアントコンピュータから送られてきた入札要請が、前記開設された競売における最初の入札要請であるかどうかを競売情報を参照して判断し、最初の入札要請であれば当該使用者を落札者に決定し、当該落札者のクライアントコンピュータ上において前記落札を表示させ、前記入札要請がなされたときの現在価格を落札価格と判断するとともに、前記競売情報を終了に書き換えて当該競売を閉める工程と；
（e)前記サーバーが、前記最初の入札者より後の入札者および新たな使用者の入札後、他の使用者に対して上記工程を反復し、これにより同じ製品についての前記競売が連続的に反復される工程を含み構成されたことを特徴とするオンライン競売方法。
【請求項２】
前記キャッシュ提供者データベースは、キャッシュ提供者のキャッシュであるスポンサーキャッシュを記述したスポンサーデータベースまたは各使用者のキャッシュを記述した使用者データベースであり、
前記スポンサーデータベースが前記キャッシュ提供者データベースである場合には、前記現在価格閲覧キャッシュを差し引いて減額する際には、当該スポンサーキャッシュから減額し、
前記使用者データベースが前記キャッシュ提供者データベースである場合には、前記現在価格閲覧キャッシュを差し引いて減額する際には、当該使用者のキャッシュから減額する請求項１記載の前記オンライン競売サーバーにより実行されるオンライン競売方法。
【請求項３】
前記サーバーは、各製品ごとの残存数量を記述した製品データベースを記録しており、
(a)前記サーバーが、前記クライアントコンピュータから受け取った競売対象の製品に対して開設された競売が存在しない場合、前記製品データベースを参照して、該当競売の製品が残存しているかどうかを判断する工程と；
(b)前記サーバが、前記製品が残存しない場合、競売終了をクライアントコンピュータに表示させる工程をさらに含むことを特徴とする、請求項１または請求項２記載の前記オンライン競売サーバーにより実行されるオンライン競売方法。
【請求項４】
前記サーバーは、前記製品の前記残存数量に対応付けて割引価格または割引率を記録した割引データベースを記録しており、
(a)前記サーバーが、前記割引データベースを参照し、前記製品データベースに記録された前記製品の前記残存数量にしたがって割引が可能かどうかを判断する工程と；
(b)割引が可能な場合、前記サーバーが、前記割引データベースに記録された前記残存数量に対応する割引価格または割引率に基づいて、その割引価格を演算する工程と；
(c)前記サーバーが、前記割引された価格を、開設される競売の開始価格として前記ヒストリーデータベースの現在価格に記録する工程を含むことを特徴とする、請求項３記載の前記オンライン競売サーバーにより実行されるオンライン競売方法。
【請求項５】
(a)前記サーバーが、使用者が前記クライアントコンピューターにより入力した予約価格、所定期間を示す予約条件を、当該使用者に対応付けて記録する工程と；
(b)前記サーバーが、現在進行中の競売が、前記予約条件として記録された所定期間内であるか否かにより、前記予約条件に該当するかどうかを判断して、前記予約条件に該当する場合、前記ヒストリーデータベースに記録されている前記現在価格と前記予約価格を比較して前記予約価格が前記現在価格より高い場合、前記予約を行った使用者を落札者に決定して該当競売を閉める工程をさらに含むことを特徴とする、請求項１記載の前記オンライン競売サーバーにより実行されるオンライン競売方法。
【請求項６】
前記サーバーは、前記予約を行った使用者に対応付けて、予約時間を記録し、
同一の予約条件を有する多数の予約者が記録されている場合、前記サーバーが、最高の予約金額を記録した使用者を予約落札候補者とし、最高の予約金額を記録した使用者が複数いる場合には、前記予約時間を参照して、当該複数の使用者のうち最初に予約を行った使用者を予約落札候補者とし、前記予約落札候補者の記録した予約価格と前記進行中の競売の現在価格と比較することにより、落札者を決定することを特徴とする請求項５記載の前記オンライン競売サーバーにより実行されるオンライン競売方法。
【請求項７】
前記工程(c)は、開設された競売の使用者が以前の競売において入札要請をクライアントコンピュータから送信したにも拘わらず、前記サーバーが入札者であるとの決定をしなかった流札者かどうかを前記サーバーが判断する工程をさらに有し、そのような場合、前記サーバーが、前記使用者データベースにおける当該流札者のキャッシュから調査キャッシュを直接差し引き、差し引き額を記録することを特徴とする、請求項１記載の前記オンライン競売サーバーにより実行されるオンライン競売方法。
【請求項８】
(a)前記サーバーが、前記ヒストリーデータベースに記録された当該競売にかかる製品の現在価格が０以下かどうかを判断する工程と；
(b)前記現在価格が０以下であれば、前記サーバーが、前記現在価格を０より小さくするよう現在価格閲覧を要求した入札者を落札者に決定する工程をさらに含むことを特徴とする、請求項１記載の前記オンライン競売サーバーにより実行されるオンライン競売方法。
【請求項９】
前記サーバーが、前記ヒストリーデータベースを参照して、前記使用者のクライアントコンピューター上に、以前の競売の落札価格の履歴を表示させる工程をさらに含むことを特徴とする、請求項１記載の前記オンライン競売サーバーにより実行されるオンライン競売方法。
【請求項１０】
前記競売が、前記製品に対して所定の購入単位別に開設されることを特徴とする、請求項１記載の前記オンライン競売サーバーにより実行されるオンライン競売方法。
【請求項１１】
通信ネットワークを介しサーバークライアント関係によりクライアントコンピューターと連結するオンライン競売サーバーであって、当該サーバーは、ある競売が完了し、同じ製品について全てのオークションの完了した後、新しい競売を開設する方法により、同じ製品について独立した競売を連続的して反復するサーバーであって、
前記サーバーは、競売対象である製品名情報と当該製品の競売が開設中か終了したかを示す競売情報とを記述した競売データベース、各競売における現在価格を示すヒストリーデータベース、キャッシュ提供者のキャッシュを記述したキャッシュ提供者データベースを記録部に記録しており、
(a)前記独立した競売を実行する独立競売実行手段であって、
(a1)前記クライアントコンピュータから、競売対象の製品名情報を受け取ると、前記競売データベースの競売情報を参照して、特定製品に対して開設された競売が存在するかどうかを判断する手段と；
(a2)開設された競売が存在しない場合、前記競売データベースに、前記製品に対して新しく開設する競売を記録する手段と；
(a3)前記開設された競売の使用者が使用する前記クライアントコンピュータから、現在価格の閲覧要求を受けた場合、予め定められた現在価格閲覧キャッシュの金額だけ、前記ヒストリーデータベースに記録された前記製品の現在価格を下落させるとともに、当該下落した現在価格を前記クライアントコンピュータに表示させ、前記キャッシュ提供者データベースに記録されたキャッシュ提供者のキャッシュから前記現在価格閲覧キャッシュを差し引いて減額したキャッシュを記録し、これにより、使用者が現在価格閲覧を要求するにつれて前記製品の現在価格を連続的に下落させる手段と；
(a4)前記使用者のクライアントコンピュータから送られてきた入札要請が、
前記開設された競売における最初の入札要請であるかどうかを競売情報を参照して判断し、最初の入札要請であれば当該使用者を落札者に決定し、当該落札者のクライアントコンピュータ上において前記落札を表示させ、前記入札要請がなされたときの現在価格を落札価格と判断するとともに、前記競売情報を終了に書き換えて当該競売を閉める手段とを含み；
（b)前記最初の入札者より後の入札者および新たな使用者の入札後、他の入札者のために前記独立競売実行手段による処理を反復して実行する前記独立競売反復手段を備えたことを特徴とするオンライン競売サーバー。
【請求項１２】
現在価格閲覧キャッシュを別々に設定することにより、同一製品についての前記現在価格閲覧キャッシュを別々に表示する工程をさらに含むことを特徴とする、請求項１記載の前記オンライン競売サーバーにより実行されるオンライン競売方法。
【請求項１３】
前記サーバーは、電話ネットワークを介して使用者の電話と連結されるコールセンターと連結され、競売にかかる製品の情報が音声によって知らされ、前記サーバーは、競売手続きを、電話のボタンが押されたことにより処理することを特徴とする請求項１１記載の前記オンライン競売サーバーにより実行されるオンライン競売方法。
【発明の詳細な説明】
【技術分野】
【０００１】
本発明は、オンライン競売システム及びその方法に関するものである。特に、本発明は、製品の価格閲覧によって持続的に価格が下落し、該当製品別に競売が進行してその入札結果を即時に知ることができる。また、継続的に新しい競売が生成され競売に参加した使用者が価格を受け入れた順に順次的に製品を購入できるオンライン競売システム及びその方法に関するものである。
【背景技術】
【０００２】
一定の製品をおいて多数の購買者が競合して製品を購買する方法で競売が行われる。
【０００３】
通常のオンライン競売は、その運営者側で競売を公知して公知した時間内に競売が進行される。また、通常のオンライン競売は、販売者が提示する初期金額がありそれより高い金額を入札者が入札価格に提示して一定入札締め切り時間内に最高の価格を提示した購買者順に販売数量内で落札者が選定される。
【０００４】
したがって、使用者は、運営者側から競売の公知がない限り競売に参与することができず、競売の開設が不安定な状態におかれる。また、落札方式と関連して、一定時間内で進行される競売に対して前記販売量と関連した順位に入れなかった入札者は、流札者になり製品の購買ができない。
【０００５】
しかし、競売に対する欲求は、常時的に存在するものであるので、使用者が必要な時にいつでも競売が開設されることが好ましい。また、実際的に購買が可能な価格は、競売参与者別に多様に存在し得る。したがって、このような購買可能価格を競売に反映して多様な価格で落札が行われるようにして、多数の競売参加者が製品を購入できるようにできることが好ましい。特別に、その落札が少なくても市価より安い価格で行われるならさらに好ましい。これと関連して競売によって製品が販売されるにつれて継続的な割引が適用されるならさらにさらに好ましい。
【０００６】
上述した従来の競売方式は、入札による結果を競売時間が経過した後にだけ確認可能である。特にこのような競売終了時間を待たなければならない欠点を補完するために販売者が提示した特定金額を提示すれば、すぐに落札する即時購買が施行されているが、これは、購買者の購買価格希望価格を直接的に反映することができない。したがって、入札と同時にすぐその結果を知り得ることが好ましい。
【発明の開示】
【発明が解決しようとする課題】
【０００７】
本発明は、前記の要請を満足させる。本発明の目的は、持続的に製品価格が下落し、その入札結果を即時に知ることができる。また、競売に参加した使用者が価格を受け入れた順に順次的に製品を即時購入できるオンライン競売システム及びその方法を提供することである。さらに本発明は、恒時的に競売が開設され製品購入欲求を有する使用者がいつでも参与できる競売システム及びその方法を提供することである。
【課題を解決するための手段】
【０００８】
このような本発明の目的によるオンライン競売方法は、使用者コンピュータとクライアントサーバー関係を通信ネットワークで連結して競売を実行する方法において、特定製品に対して開設された競売が存在するかどうかを判断する工程と；万一開設された競売が存在しない場合前記製品に対して新しく競売を開設する工程と；前記開設された競売に対して使用者が要請した現在価格閲覧要請にしたがって閲覧キャッシュをキャッシュ提供者から差し引いて前記差し引かれた金額分だけ現在価格を下落させる工程と；特定現在価格に対して使用者の入札要請があった場合、最初の入札者に対してその現在価格を落札価格として落札者に決定して前記競売を閉める工程と；前記該当競売で前記最初の入札以後の入札者及び新しく接続する使用者に対して、前記工程を反復する工程からなることを特徴とする。
【０００９】
この場合、前記競売製品に対するスポンサーが存在するかどうかを判断する工程と；前記スポンサーが存在する場合、前記スポンサーのキャッシュが閲覧キャッシュより大きい場合、前記スポンサーを前記キャッシュ提供者にする工程と；前記スポンサーが存在しなかったりスポンサーのキャッシュが閲覧キャッシュより少ない場合、前記現在価格閲覧を要請した使用者を前記キャッシュ提供者にする工程をさらに含むことができる。
【００１０】
また、特定製品に対して開設された競売が存在しない場合、該当競売の製品が残存するかどうかを判断する工程と；万一製品が残存しない場合、競売終了を表示する工程をさらに含むことができる。
【００１１】
また、上述したオンライン競売方法は、製品の残存数量にしたがって割引が可能かどうかを判断する工程と；万一割引が可能な場合、その割引価格を演算する工程と；前記割引された価格を開設される競売の開始価格とする工程をさらに含むことができる。
【００１２】
前記オンライン競売方法は、さらに使用者が入力する予約価格と予約条件を記録する工程と；現在進行中の競売が前記予約条件に該当するかどうかを判断して前記予約条件に該当する場合、前記現在価格と予約価格を比較して予約価格が現在価格より高い場合その予約者を落札者に決定して該当競売を閉める工程をさらに含むことができる。この場合、同一な予約条件を有する多数の予約者がいる場合、最高の予約金額及び最初の予約者を対象にしてその予約価格と前記進行中の競売の現在価格と比較する。ここで、前記予約者に対しては予約料を徴収できる。
【００１３】
また、前記オンライン競売方法は、開設された競売の使用者が以前の競売の流札者かどうかを判断する工程をさらに有し、そのような場合は、現在価格閲覧要請なしにすぐに閲覧キャッシュを差し引きすることが好ましい。
【００１４】
前記オンライン競売方法は、前記落札者である使用者に落札表示をして以後の入札者を流札者とし、それを使用者に流札表示できる。
【００１５】
特別に、前記オンライン競売方法は、特定現在価格に対してその価格が０以下かどうかを判断する工程と；万一前記現在価格が０以下の場合、その現在価格で現在価格が決まるように現在価格閲覧要請をした使用者を落札者に決定する工程をさらに含むことができる。
【００１６】
また、前記オンライン競売方法は、使用者に以前の競売の落札記録を示す工程をさらに含むことができる。さらに、使用者の要請により該当競売に対する現在価格の変化を表示することができ、特別に使用者が閲覧した現在価格までの変化を表示できる。
【００１７】
前記オンライン競売方法は、また、使用者が支払った閲覧キャッシュ中、一定比率の金額を販売者の利益として記録する工程をさらに有することができる。
【００１８】
特別に、前記競売は、特定製品に対して特定購入単位別に開設することができる。
【００１９】
前記オンライン競売方法は、前記落札者が製品代金を決済しない場合、前記閲覧キャッシュの差し引きによる金額を販売者の利益として記録する工程をさらに含むことができる。
【００２０】
前記オンライン競売方法は、キャッシュ提供者のキャッシュが閲覧キャッシュより少ない場合、現金決済またはマイレージまたはサイバーマネーのような代替手段の決済を通じてキャッシュをチャージする工程をさらに含むことが好ましい。
【００２１】
前記オンライン競売方法は、使用者である販売者が競売製品に対して登録し、それに対して競売手続きが進行できる。
【００２２】
本発明の場合、前記オンライン競売は同一製品に対してその閲覧キャッシュを差別的に設定し、同一製品に対して閲覧キャッシュ別に製品情報を表示する工程をさらに含むことができる。
【００２３】
前記オンライン競売方法は、他の様々な製品に対して同一閲覧キャッシュを有する製品別に製品情報を表示する工程をさらに含むことができる。
【００２４】
前記オンライン競売方法は、スポンサーが閲覧キャッシュを支払う製品別に製品情報を表示する工程をさらに含むことができる。
【００２５】
本発明の他の側面として、本発明のオンライン競売方法は、使用者コンピュータとクライアントサーバー関係を通信ネットワークで連結して競売を実行する方法において、開始価格に対して閲覧キャッシュの比率で閲覧キャッシュ情報を表示する工程を含む製品情報を表示する工程と；使用者が競売を願う製品を選択する工程と；前記選択された製品に対して開設された競売が存在するかどうかを判断する工程と；万一開設された競売が存在しない場合、前記製品に対して新しく競売を開設する工程と；前記開設された競売に対して使用者が要請した現在価格閲覧要請にしたがって閲覧キャッシュをキャッシュ提供者から差し引いて、前記差し引いた金額分だけ現在価格を下落させる工程と；前記下落した現在価格が０以下かどうかを判断して、万一０以下の場合はその時の現在価格閲覧要請者を落札者に決定する工程と；前記該当競売で前記落札者以後の現在価格閲覧者及び新しく接続する使用者に対して前記工程を反復する工程からなる。
【００２６】
本発明は、また、落札価格の平均を算出して製品の適正価格を決定する製品の価格調査方法を提供する。
【００２７】
本発明の場合、前記競売に参与した使用者を対象に抽選をして景品を提供できる。
【００２８】
本発明のオンライン競売システムは、使用者別に使用者の人的事項及び使用者キャッシュを記録する使用者データベースと、製品別に製品の説明、製品の価格そして製品の閲覧キャッシュを記録する製品データベースと、各々の競売に対して競売製品及び落札者と落札が、そして競売の終了有無を記録する競売データベースを含み；特定製品に対して開設された競売が存在するかどうかを判断する工程と、万一開設された競売が存在しない場合新しく競売を開設する工程と、前記開設された競売に対して使用者が要請した現在価格閲覧要請にしたがって閲覧キャッシュをキャッシュ提供者から差し引いて前記差し引かれた金額分だけ現在価格を下落させる工程と、特定現在価格に対して使用者の入札要請があった場合、最初の入札者に対してその現在価格を落札価格として落札者に決定して前記競売を閉める工程と、前記該当競売で前記最初の入札以後の入札者及び新しく接続する使用者に対して前記工程を反復する工程を実行する処理部を有する。
【００２９】
特別に、本発明の場合、コールセンターを通じて前記競売システムは電話機使用者と連結され、前記処理部の動作は使用者が入力する電話機のボタンの入力番号にしたがって実行し得る。
【発明を実施するための形態】
【００３０】
さて、添付した図面を参考にして本発明の一実施例を説明する。
【００３１】
図１は、本発明によるオンライン競売システムの全体的な構成を示した図面である。
【００３２】
通信ネットワーク２００を通じてサーバーコンピュータ１００とクライアントコンピュータ３０１、３０２、３０３、．．．、Ｎ）が接続されている。クライアントコンピュータ３０１、３０２、３０３、．．．、ｎ）は、競売に参加する使用者が操作するコンピュータで、これを通じて使用者は、サーバーコンピュータ１００にデータの電送や要請をできる。
【００３３】
前記サーバー１００またはクライアントコンピュータ３０１、３０２、３０３、．．．、ｎは、中央処理装置（ＣＰＵ）を中心にメモリー（ｍｅｍｏｒｙ）を有し、前記中央処理装置（ＣＰＵ）は、マイクロプロセッサー（ｍｉｃｒｏｐｒｏｃｅｓｓｏｒ）を中心に構成され、前記メモリーはロム（ＲＯＭ）及びラム（ＲＡＭ）を含み、前記中央処理装置の動作順序を決定するプログラムや中央処理装置により処理されなければならないデータを記憶する。
【００３４】
前記サーバーコンピュータ１００は、前記ネットワーク２００を通じた通信のためのインターフェイス部１１０を有する。また、使用者データベース１５１と製品データベース１５３と競売データベース１５５を有し、以外に追加的にヒストリーデータベース１６１と割引データベース１６３、スポンサーデータベース１６５、予約データベース１６７等を有することが可能。さらに、本発明の前記サーバーコンピュータ１００は、後述する工程を処理する処理部１３０を有する。
【００３５】
前記クライアントコンピュータ３０１、３０２、３０３、．．．、Ｎも通信ネットワークとの接続のためのインターフェイス部を有し、サーバーコンピュータ１００から電送される情報を表示する表示部を有する。特別に、前記クライアントコンピュータ３０１、３０２、３０３、．．．、ｎは、ＰＣに限定されず、ＰＤＡまたは携帯用電話機のような通信端末機とまたはデジタルテレビ（Ｄｉｇｉｔａｌ  Ｔｅｌｅｖｉｓｉｏｎ）のように前記サーバーコンピュータ１００とネットワークを通じて接続され情報を送受信できるものならいい。
【００３６】
図２ａ及び図２ｂは、前記サーバーコンピュータ１００が有するデータベースのテーブル（ｔａｂｌｅ）を示した図面である。
【００３７】
まず、使用者データベース１５１は、各々の使用者についてその人的事項及び使用者キャッシュを記録するところである。本実施例では、図示したように使用者  ＩＤに対して使用者氏名、使用者のキャッシュが記録されている。また、使用者が入力する暗証番号を記憶できる。これは、使用者として記録（登録）された使用者がサーバーコンピュータ１００に接続時認証を行えるようにするためのものである。
【００３８】
前記使用者キャッシュは、個別使用者が実際に現金等を決済するにしたがってその金額を記録することもでき、それ以外にマイレージ蓄積によりまたは他の提携サイトと仲介を通じたサイバーマネー等を記録し得る。
【００３９】
製品データベース１５３は、各々の競売の対象になる製品に対してその数量と市価と後述する本発明にしたがって現在価格を閲覧するために必要な閲覧キャッシュを記録する。本実施例では、図示したように各々の製品ＩＤに対して数量と市価と閲覧キャッシュを記録する。特別に、競売の継続的な開設時製品の残存数量にしたがって割引が行われる場合その割引情報を記録する割引データベースの存在有無を記録できる。
【００４０】
競売データベース１５５は、各々開設される競売に対して該当競売製品及び競売の開設及び閉鎖（終了）と落札時の落札価を記録する。本実施例では、図示したように、各々の競売ＩＤに対して製品ＩＤと落札価格及び個別競売が進行されているかまたは終了されているのかの有無を記録する競売フラッグ（ｆｌａｇ）が記録される。個別競売に対して競売が開設されるとそのフラッグはＯＮで記録され、終了した場合は競売フラッグはＯＦＦで記録され、ここでその該当競売の落札者と落札価格が記録される。
【００４１】
ヒストリー（ｈｉｓｔｏｒｙ）データベース１６１は、個別競売が進行しながら個別使用者が現在価格閲覧要請をし、それにしたがって現在価格が下落した場合、下落した現在価格を現在価格閲覧要請をした使用者に対して記録する。本実施例では、図示したように、個別ヒストリーＩＤに対して各々の競売ＩＤと使用者ＩＤと閲覧にしたがって下落した現在価格を記録している。
【００４２】
割引データベース１６３は、残存数量にしたがって割引される価格を記録する。図示したように、各々の割引ＩＤに対して製品ＩＤとその残存数量による割引価格が記録されている。代案として残存数量にしたがって割引率を記録することもできる。または累積販売数量による割引金額または割引率を記録することもできる。
【００４３】
また、前記サーバーコンピュータ１００は、スポンサーデータベース１６５を有することができる。これは、製品に対して広告主のようなスポンサーが存在する場合、現在価格閲覧による閲覧キャッシュをスポンサーが提供してスポンサーから閲覧キャッシュが引き出（差し引き）される場合である。これにしたがって、各々のスポンサーＩＤに対して製品ＩＤとスポンサーの現在キャッシュが記録される。
【００４４】
予約データベース１６７は、特定使用者が予約条件を入力して予約入札をした場合に競売が進行される間その予約条件にあう場合、優先的に予約者を落札者に決定するためのものである。本実施例では、前記予約データベースは各々の予約ＩＤに対して競売ＩＤと予約（入札）価格と予約者である使用者ＩＤと予約条件と予約時間（入力時間）を記録している。
【００４５】
このような構成を有する本発明による競売システムに対して図３を参考に、サーバーコンピュータ１００の処理部１３０の処理動作を説明する。
【００４６】
まず、使用者は、クライアントコンピュータ３０１、３０２、３０３、Ｎを操作して本発明によるサーバーコンピュータに接続する（工程Ｓ３０１）。ここで必要な場合  、使用者登録を通じて認証を行える。
【００４７】
使用者が、サーバーコンピュータ１００に接続されると、競売の対象になる製品の情報を使用者のクライアントコンピュータ３０１、３０２、３０３、．．．、Ｎに表示する（工程Ｓ３０２）。前記製品情報は、製品の写真と製品説明と購入単位等の競売を通じて購入できる製品に対する情報である。これらは動映像、３Ｄ、ＰＤＦファイル等の情報で提供することもできる。
【００４８】
次に、使用者は、クライアントコンピュータ３０１、３０２、３０３、．．．、Ｎを操作して前記競売の対象になる製品を選択し、処理部１３０は、それを認識する（工程Ｓ３０３）。例えば、クライアントコンピュータの表示部に表示された製品の写真を使用者がクリック（ｃｌｉｃｋ）して処理部１３０は、それを認識する。
【００４９】
そうすると、処理部１３０は、該当製品と関連してすでに開設された競売が存在するかどうかを判断する（工程Ｓ３０４）。本実施例では、同一製品ＩＤに対してその競売フラッグがＯＮ（進行中）になっている競売が存在するかどうかを捜す工程である。
【００５０】
万一、該当製品と関連してすでに開設された競売がない場合は、競売を新しく開設する。そうでない場合、すでに開設された競売に前記使用者は、編入される。ここで、該当製品と関連してその残存数量が存在するかどうかをチェックすることが必要となり得る。
【００５１】
したがって、該当製品に対してすでに開設された競売が存在するかどうかを判断（工程Ｓ３０４）して、開設された競売がない場合は該当製品の残存数量を判断した後（工程Ｓ３０５）、該当製品の競売を開設する。また、製品データベース１５３から製品の数量を差し引いて記録する（工程Ｓ３０６）。ここで、該当製品の残存数量がない場合、該当製品の競売が終了したことを表示（工程Ｓ３０７）して終了する。
【００５２】
万一、すでに該当製品に対する競売が開設された場合は、開設された競売にすぐ編入され工程Ｓ３０８にすぐ進行する。
【００５３】
本実施例では、前記該当製品の競売の開設は、前記競売データベース１５５と関連して新しい競売記録を生成し、その競売フラッグをＯＮに記録することにより実行される。
【００５４】
次に、該当競売に対して製品の開始価格と製品の価格を閲覧するため必要なキャッシュ（閲覧キャッシュ）を現在使用者のクライアントコンピュータ（３０１、３０２、３０３、．．．、Ｎに表示する。その開始価格は、製品データベース１５３に記録された市価が表示される（工程Ｓ３０８）。しかし、後述のように製品の残存数量（または累積販売数量）にしたがって割引が行われる場合は、その割引価格が開始価格に表示される。
【００５５】
使用者が現在価格閲覧を希望して、それを要請する場合（工程Ｓ３０９）、その閲覧キャッシュがキャッシュ提供者から差し引かれて閲覧キャッシュに該当する金額分だけ製品の価格を下落させる（工程Ｓ３１０）。そして、その下落した価格を前記使用者のクライアントコンピュータ３０１、３０２、３０３、．．．、Ｎに表示する（工程Ｓ３１１）。
【００５６】
ここで、閲覧キャッシュは、キャッシュ提供者から引き出される。前記キャッシュ提供者は、現在価格閲覧を希望した使用者がなることができ、またはその製品に対する広告主のようなスポンサーがなることもできる。万一、スポンサーがない場合は、使用者データベース１５１から閲覧キャッシュ金額が差し引かれ、使用者キャッシュに記録される。ここで、使用者のキャッシュが閲覧キャッシュより少ない場合は、使用者をして、現金決済またはマイレージやサイバーマネー等の代替手段の決済等を通じてキャッシュをチャージするようにさせられる。
【００５７】
また、本実施例では、各使用者別に自身の現在価格閲覧要請にしたがって下落した現在価格をヒストリーデータベース１６１に記録できる。それにより後述したように使用者は、ヒストリーデータベース１６１に記録された現在価格の閲覧が可能である。
【００５８】
次に、サーバーコンピュータ１００の処理部１３０は、形成された現在価格で入札要請があるかどうかを判断する（工程Ｓ３１２）。そして、その入札要請が最初かどうかを判断する（工程Ｓ３１３）。
【００５９】
本発明の場合、最初の入札要請者を落札者に決定して該当競売を閉める（工程Ｓ３１４）。
【００６０】
また、入札要請が最初ではない場合、その使用者は流札者に決定され流札が表示される（工程Ｓ３１５）。
【００６１】
本実施例の場合、競売データベース１５５でその競売ＩＤに対してその競売フラッグを調査して最初の入札かどうかを判断できる。言い換えれば、競売フラッグがＯＮの場合に対して最初の入札要請がある場合、すぐに競売フラッグをＯＦＦに記録してその入札要請者を落札者にして記録する。したがって、万一、入札要請に対して競売フラッグがＯＦＦの場合は、最初の入札になれずその入札要請者は、流札者になるのである。また、競売フラッグをＯＦＦにして該当競売が閉鎖されるのである。
【００６２】
次に、その流札者は、再び該当製品に対して新しく開設される競売に自動的に参与する。したがって、流札が通報された後、処理部１３０の動作は工程Ｓ３０４から再び反復される。
【００６３】
例えば、該当競売に対して最初の入札者の次に入札した者に対して処理部１３０は、流札者（最初の流札者）に決定してそれを通報し（工程Ｓ３１５）、以後、処理部１３０は、該当製品に対して開設された競売が存在するかどうかを判断する（工程Ｓ３０４）。万一、新しく製品選択（工程Ｓ３０３）をした使用者がなく、また、製品の残存数量が存在する場合、該当製品に対して新しく競売が開設されることになる（工程Ｓ３０６）。前記最初の流札者以後の流札者は、すでに最初の流札者によって競売が開設されているためその競売に編入される。
【００６４】
このように、本発明の場合、該当製品に対して競売が開設された後、使用者の現在価格閲覧要請にしたがって継続的に価格が下落し、形成された現在価格に対して最初に入札要請をした者がすぐ入札者に決定され、その後の入札者は、流札者になり入札と同時にすぐにその結果を知ることができる。さらに、該当製品に対して流札された使用者に対してすぐその製品に対する競売を新しく開設して、継続的に競売に参与するようになるのである。また、競売が常時的に存在して従来のように競売の開設が不安定状態に置かれることはない。
【００６５】
図４は、本発明にしたがってスポンサーが存在する場合の処理部１３０の動作を示した順序図である。
【００６６】
まず、現在価格閲覧要請（図３の工程Ｓ３０９）があった場合、スポンサーデータベース１６５を参照して該当製品に対してスポンサーが存在するかどうかを判断する（工程Ｓ４０１）。万一、スポンサーが存在する場合、そのスポンサーのキャッシュが閲覧キャッシュより大きいかどうかを判断して（工程Ｓ４０２）、大きい場合はスポンサーから閲覧キャッシュを差し引いてその結果金額を記録する（工程Ｓ４０３）。
【００６７】
図５は、本発明で該当製品の残存数量にしたがってその開始価格を割引する場合の処理部１３０の動作を示した順序図である。
【００６８】
まず、処理部は、該当製品の残存数量を計算した後（図３の工程Ｓ３０５）、該当製品のその残存数量にしたがって割引された価格が存在するかどうかを割引データベース１６３を参照して判断する（工程Ｓ５０１）。
【００６９】
割引が可能な場合その割引価格を演算する（工程Ｓ５０２）。次に、割引価格を開始価格と置き換える（工程Ｓ５０３）。それにより、開始価格が割引価格で表示される。
【００７０】
図６は、本発明で予約入札がある場合のサーバーコンピュータ１００の処理部１３０の動作を示した順序図である。
【００７１】
この場合、予約入札登録がされていなければならない。即ち、使用者がサーバーコンピュータ１００に接続して予約データベース１６７にその入札値等を記録しておかなければならない（工程Ｓ６０１）。
【００７２】
このような状況で処理部１３０は、現在開設された競売が予約データベースに記録された予約条件を満足させるかどうかを判断する（工程Ｓ６０２）。例えば、特定期間に起きる特定製品に対する競売が予約条件の場合、現在進行中の競売がその条件に該当するかどうかを判断する。
【００７３】
該当競売が予約条件を満足させる場合、処理部１３０は、該当製品の予約入札者に対して最高の予約価格提示者を予約落札候補者に算出し、万一同一最高金額を提示した予約入札者が複数で存在すると、先に予約入札した者を予約落札候補者に算出する（工程Ｓ６０３）。
【００７４】
次に、算出された予約落札候補者の予約（入札）金額が現在の価格より高いかどうかを比較する（工程Ｓ６０４）。好ましくは、予約（入札）金額に入札希望製品の閲覧キャッシュを加えた金額が現在価格閲覧要請者の閲覧キャッシュを差し引き前の状態の製品の現在価格より高いかどうかを比較する。なぜなら、このような場合、予約入札者が同一金額で優先的に入札に応じたのでそれを反映できるようにするためである。
【００７５】
万一、予約（入札）価格が現在価格より高い場合その予約者を落札者として競売データベース１５５に記録して、該当競売のフラッグをＯＦＦにして該当競売を閉鎖する（工程Ｓ６０５）。
【００７６】
本発明の場合、以前競売に流札して該当製品に対して新しい競売が開設されそこに参与する場合、これら流札者に対しては現在価格閲覧要請を省略してすぐに閲覧キャッシュを差し引くようにすることが好ましい。なぜなら、このような場合、以前の競売の流札後、新しい競売に参与しながら価格の即刻的な下落をもたらすことができるためである。即ち、図３を参考に該当製品に対して競売が開設されると（工程Ｓ３０６）、その競売の使用者に対して彼らが以前の競売の流札者かどうかを判断し、以前の競売の流札者である使用者に対してはすぐに閲覧キャッシュを差し引きする工程（工程Ｓ３１０）に移る。
【００７７】
また、現在価格閲覧要請により継続的に閲覧キャッシュが差し引かれながら現在価格が下落してその現在価格が、０ウォン以下に下がり得る。このような場合は、０ウォン以下に下がるようにした現在価格閲覧要請をした使用者を落札者に直ちに決定して競売を終了し、他の使用者は流札者に決定する。即ち、図３を参考に、工程Ｓ３１０で現在価格が下落した場合、その価格が０ウォン以下かどうかを判断して、万一０ウォン以下の場合すぐに工程Ｓ３１４に進行してその使用者が落札者に決定され、該当競売は終了される。その時、他の使用者は流札者になり新しく開設される競売に進行する。
【００７８】
これと関連して、開始価格に対して閲覧キャッシュを比率で表示して製品情報を表示できる。例えば、１０，０００ウォンの開始価格に対して閲覧キャッシュを３，４００ウォンに決めると３４％閲覧キャッシュとして製品情報を表示できる。また、ここで上述した入札手続きを省略できる。このような場合は、現在価格閲覧を何番目にするかによって自動的に落札者が決定される。例えば、閲覧キャッシュが開始価格の３４％に設定すると多数の使用者中３番目に現在価格閲覧要請者がその現在価格が０ウォン以下に下がるので落札者になるのである。
【００７９】
本発明の場合、新しく競売が開設される場合、以前の該当製品に対する既存の落札価を示す落札記録を表示することが好ましい。それを通じて使用者は、競売で落札が形成される価格帯を予測できるからである。
【００８０】
また、本発明の場合、競売に対して閲覧キャッシュを支払った使用者に閲覧キャッシュを支払った瞬間までのその現在価格の継続的な変動を表示すると、使用者は価格変動推移を知ることができ好ましいことである。そのために、本発明では、閲覧キャッシュを支払った使用者が閲覧記録閲覧要請をした場合、サーバーコンピュータ１００の処理部１３０は、ヒストリーデータベース１６１の該当競売に対する現在価格を時間別に整列してそれをクライアントコンピュータ３０１、３０２、３０３、．．．、ｎに表示する。ここで、本人が現在価格を閲覧した時の価格より他の使用者によって現在価格が下落した場合はそれを通報することが好ましい。
【００８１】
本発明の場合、落札者が決定されると落札者に電子メールや短文メッセージサービス等で落札を通報できる。以後、落札者の製品価格決済があれば製品を配送する。万一、製品価格の決済がない場合は、それをペナルティー処理して初期開始価格から現在価格閲覧に下落した価格に該当する部分を会社の収益として会社収益データベース（未図示）に記録する。
【００８２】
特別に本発明の場合、同一製品に対してもその製品購入単位数量を変えて設定してその各々に対して別途の競売手続きを進行できる。例えば、懐中電灯に対して一購入単位数量を１個、３個等にしてその各々に対して上述した競売手続きを進行できる。
【００８３】
図７の（ａ）から（ｄ）は、本発明のクライアントコンピュータ３０１、３０２、３０３、．．．Ｎに表示される画面の例である。
【００８４】
まず、（ａ）に示したように製品情報が表示される。
【００８５】
この中でどれかひとつの製品を選択することにより競売が開設され、例えば、懐中電灯を選択した場合、競売画面が（ｂ）のように表示される。ここで、競売番号が割り当てられて表示され、その開始価格と閲覧キャッシュが表示される。また、ここで現在価格閲覧要請のためのボタンが表示される。
【００８６】
使用者が前記現在価格閲覧ボタンをクリックした場合、（ｃ）に示したように閲覧キャッシュに該当する金額分だけ価格が下落して現在価格に表示される。また、入札要請のためのボタンが表示される。ここで、使用者が入札ボタンをクリックすると表示された現在価格に対して入札要請が起きる。
【００８７】
万一、前記使用者の入札が多くの使用者中、最初の入札の場合はすぐその者が落札者になり、落札されたことが表示されるのである。しかし、最初の入札があった後の入札要請の場合、その使用者は流札者になり流札表示がされすぐに新しく開設される競売に編入される。（ｄ）は、流札者として新しく開設される競売に編入されたことを示している。特別に、この場合新しい競売が開設され競売番号が変更されたことが分かる。
【００８８】
図８は、本発明のよるオンライン競売概念を示した図面である。
【００８９】
従来の競売の場合は、図８の（ａ）に示したように同種の製品をその競売数量だけ一つの競売で進行してそこに多くの使用者が参加するものである。また、従来の競売は、運営者が公示する特定時間内に進行して、入札価格にしたがって高い順に販売数量範囲内で順次的に落札が決定されるのであり、入札結果は競売が終了するまで分からない。
【００９０】
しかし、本発明の場合は、図８の（ｂ）に示したように、同種製品に対して個別製品別に競売が進行され、一競売が終了した後、再び同一製品に対して継続的に競売が継続して進行される。このような競売は、恒時的に開設され継続的に下落する価格に対して連続的に競売が新しく進行されるため、価格を受け入れた順に落札を受けられる。また、入札と同時にその結果を知ることができるようになる。
【００９１】
本発明の場合、同一製品に対してその閲覧キャッシュを差別的に設定して同一製品に対して閲覧キャッシュ別に製品情報を表示できる。例えば、製品情報が表示された時、同じテレビ製品に対して閲覧キャッシュを５，０００ウォン、１０，０００ウォン、２，０００ウォン別に変えて設定し、その各々が一つの製品情報として表示される。使用者は、その中で自分が容認する水準の閲覧キャッシュを表示する製品を選択して以後、上述した競売手続きが進行される。
【００９２】
また、他の様々な製品に対して同一閲覧キャッシュを有する製品別に製品情報を表示できる。例えば、テレビ、冷蔵庫、ビデオカメラのような製品に対して同じ閲覧キャッシュを設定し、それらを一つにまとめて製品情報を表示する。使用者がこのような同じ閲覧キャッシュを有する製品群を選択して上述した競売手続きが進行される。
【００９３】
また、スポンサーが閲覧キャッシュを支払う製品別にだけ、別途にまとめて製品情報を表示することも可能である。
【００９４】
また、本発明では、使用者中の一人が販売者として直接本発明のサーバーコンピュータ１００に接続して自身の販売製品と関連情報を掲載できるようにすることができる。そのために、販売者データベースを別途に有することができ、製品データベースに販売者のＩＤを記録するようにする。
【００９５】
特別に、本発明は、ＡＲＳシステムにより達成できる。この場合、前記サーバーコンピュータ１００は、コールセンターと連結され前記コールセンターは、電話網を通じて個々の使用者電話機と連結される。ここで、製品情報の表示は、音声を通じてなされ、各々の使用者は電話機のボタンを押すことにより手続きを進行できる。
【００９６】
本発明の場合、以外に前記落札価格を製品に対して平均し、それを製品の適正価格に決定できる。
【００９７】
本発明にしたがって予約入札を受ける場合、各々の予約者に対して予約料を徴収できる。また、予約条件にしたがって差等的に予約料を徴収できる。
【００９８】
また、多数の製品選択をした使用者を対象に抽選を実施して当選者に景品を提供することもできる。
【産業上の利用可能性】
【００９９】
現実の商取引において、市場価格はいつも変動する。購買者は、製品を速く購買するために現在知っている金額ででも買おうとするが、手頃に製品を購入するために情報を得ようと時間を遅滞するのである。即ち、時間またはお金やこのような費用（機会費用）が支出される。図９は、このような一般的な旧パターンを示している。
【０１００】
製品の価格は、調査の時点では正確であり得るが、時間が過ぎると変動があり得る。再び価格調査をするには、時間または費用等の形態で機会費用がかかることになり、再調査した価格が以前より低いという保障はなく高いこともあり得る。したがって、価格の再調査による費用が支出されるにもかかわらずかえって高い価格で製品を購買しなければならない場合もあり得る。
【０１０１】
購買者が価格調査のために支払わなければならな機会費用は、多様な形態で現れ得る。例えば、交通費、通信費用及び購買者自身が調査のために消費した時間等が機会費用として考えられるのである。
【０１０２】
販売者もまた、適正市場価格を知るために多くの費用を使う。消費者が願う価格を知るためにアンケート調査をしたり、他の専門機関に価格調査を依頼したりする。
【０１０３】
このように消費者と販売者は、適切な製品価格を調査するために費用を支出するが、このような費用は購買者と販売者の間に発生するものでないので、製品価格引下とそれによる購買（販売）という両者の共通の目標をオンタイムで反映することができない。
【０１０４】
本発明のオンライン競売システム及び方法は、価格がつけられたすべての製品を対象に所謂オンラインショッピングモール（ｏｎ−ｌｉｎｅ  ｓｈｏｐｐｉｎｇ  ｍａｌｌ）を構成して、購買者が選択できる非常に多様な価格で構成した価格確認の機会費用（閲覧キャッシュ）を支払うようにして、現在の（割引された）実際商品価格を確認できるようにする。即ち、ショッピングモールは、購買者が手頃にかつ便利に利用できる一種の価格調査機関の役割をするものである。図１０は、本発明のこのような特徴を示している。
【０１０５】
本発明の場合、競売が開始されると入札製品の市場価格を公開して消費者に知らせる。現在実際販売価格がいくらか分からない消費者は、非常に多様に構成された閲覧キャッシュを価格調査費として支払って、現在製品価格を確認することになる。製品価格が消費者の期待に至らなければ閲覧回数を累積しながら価格は継続下落することになる。これは、入札参加費とは明白に異なるもので、閲覧費を支払った使用者である購買希望者は、原則的に現在価格と価格変動推移という価格調査閲覧の代価として費用を支出するものである。
【０１０６】
本発明によるオンライン競売システム及び方法において、このような価格下落は販売者に問題になることはない。なぜなら、ショッピングモールに最初に販売しようとした金額を使用者が支払った閲覧キャッシュとして補充を受けられるからである。しかし、最初供給価格が非常に高いと、多様な閲覧と大量の販売を誘導することができないので市場価格調査にかかる費用を差し引いた、  市価よりある程度低い適切な初期価格を開始価格に提示することもできる。
【０１０７】
したがって、本発明の場合、消費者と販売者が本来支出していた価格調査費用の大部分を製品価格を引き下げることに還元することにより、製品の取引を促進させるのである。また、本発明は、既存に存在するオンラインショッピングモールに一つのサービス機能として追加（Ａｄｄ−ｏｎ）され得る特徴がある。即ち、現在価格を告示する機能を有するオンラインショッピングモールなら、各々の既存のショッピングモールで使用する製品価格を閲覧開始価格にして、本発明によるオンライン競売システムを追加するだけでいいのである。このような場合、追加的なボタンを従来オンラインショッピングモールのインターフェイスで構成して使用者が本発明によるサービスを使用できるようにできるのである。
【０１０８】
閲覧による価格下落で最初の入札者（即、競売落札者）が発生した時点では、多数の購買希望者が存在し得、最初の入札者（即、競売落札者）を除外した他の入札参加者は、以前に競売が終了していることを知らずに価格確認や入札参加ボタンを押すことになる。このような最初入札者を除外した残りの入札希望者（論理的に以前の競売の流札者ら）は、次に入札の初期閲覧者集団を形成するために持続的に市中商品価格より低価格を維持するようになり、このような取引の流れが反復されるためオンラインショッピングモールの売り上げを極大化させられるようになる。
【０１０９】
また、入札が終了すると即時に再び同一製品の入札が開始されるため、使用者の立場では、新しい入札が開始されるのを待つ必要がなく、ショッピングモールの立場では、製品販売の手段として多くの量の製品を販売できるようななるのである。
【０１１０】
例えば、通常の共同購買（または競売）では、購買者数が製品数より多い場合には問題がないが、販売目標製品数より少ない購買者数が存在する場合には、意図したように価格下落の目的を達成できない。
【０１１１】
説明のために、テレビモデルＫＲ−ＴＶという同一商品が３０ＥＡがあり５ＥＡ、１０ＥＡ、１５ＥＡ、２０ＥＡ基準で販売する場合、各々工程で追加的な割引率が適用される。即ち、販売数量が多いほど高い割引率が適用され、製品の価格は下落するのである。この場合、大多数の消費者は、高い下落率を期待しそれが満足されない場合、追加の他の購買者が参与するのを待つことになる。したがって、圓滑な取引が起きないことになる。
【０１１２】
図１１は、購買参加者が多いほどさらに高い割引率が適用され、さらに低い価格に製品の価格が形成されるパターンを示している。
【０１１３】
本モデルの長所を、図１１を参考にして消費者心理特性により説明することにする。自身が願う価格では、必ず購買する積極的購買希望者が５ＥＡ基準割引率に４名、１０ＥＡ基準割引率に４名、１５ＥＡ基準の割引率に４名、２０ＥＡ基準の割引率に４名、総２０名が存在し、自身が願う金額が現れると衝動購買をすることになる潜在的購買者が各工程別に１名ずついると仮定した場合、既存の共同購買モデルでは２０名の積極的購買希望者と５名の潜在的購買者がオンラインに接続しているにもかかわらず（総２５名）、自身が願う市場価格が形成されないのでだれも物品を購入しないことになる。
【０１１４】
取引が成立するためには、割引率がない高い価格でも購入できる積極的購買希望者５名が確保されなければならないため購買者や販売者が長く待つことが必要である。
【０１１５】
また、オンラインに接続した２５名やまたは積極的または潜在的購買希望者が価格に満足できずショッピングモールから抜けると再び接続しないこともあり得、販売機会を逃すことになる蓋然性がある。
【０１１６】
本発明によるオンライン競売方法によると、図８に示したように、同種の製品に対して１個の単位（ｕｎｉｔ）で競売が開設されるようになり、例えば、前記ＫＲ−ＴＶ在庫数量３０ＥＡに対して任意的にＡ０１、Ａ０２、Ａ０３、Ａ３０と唯一な入札番号で区分して、該当入札（Ａ０１）が終わると次の入札番号（Ａ０２）を生成して順次的に競売物品で登録されるようになる。したがって、ＫＲ−ＴＶ  １ＥＡ（入札識別番号：Ａ０１）に対して実に２５名の閲覧者が存在するようになり、反復的な閲覧による迅速な価格割引が発生するようになる。このような価格割引は、既存に使用者が支出した価格調査費の一部として、消費者が受け入れられる、自身が選択した閲覧キャッシュ分だけ受け取り商品の価格引下に還元するものである。
【０１１７】
本競売モデルでは、入札の終了時点が最初入札者によって決定されるので結果的に２５名の消費者中で最も価格的に寛大な（高い価格で買い入れる）消費者から順序どおり入札参加を押すことになる。各自自身が願う割引率になるまでお互いに反復して閲覧する中に最初の入札者が現れ、即時落札と表示され物品販売が起きて、即時開設される次の競売品のＫＲ−ＴＶ  １ＥＡ（入札識別番号：Ａ０２）に対して２４名の閲覧者の閲覧競争が開始される。
【０１１８】
次に、競売（Ａ０２）では、割引率が適用されなくても初期価格より低い金額で速い速度で進入されるようになる。なぜなら、（Ａ０１）がすでに落札されたことを知らない２４名の閲覧希望者は、自身が願う現在の市場金額（価格）を確認するためにまたは購買決定のために入札参加ボタンを押すことにより、最小限１回の閲覧費用を支払って初めて以前の競売が終わったことを知ることになり、結局最後の閲覧者に到達する以前に再び入札参加（商品購買）決定をする可能性が非常に高くなるのである。
【０１１９】
次の競売が商品の初期価格に留まらないこのような競売方式で次の工程の割引率（５ＥＡ販売）に到達するようになり、再び開設される（Ａ０６）では、累積販売数量による割引価格が告示されるようになる。累積販売数量による割引率（５ＥＡ工程）の価格に到達することにより、この工程で積極的購買希望者４名と積極的でなかった潜在的購買希望者１名の物品販売までも促進され、次の工程（１０ＥＡ）に到達して、再び積極的購買希望者の購買を次の工程に反復的に引っ張っていくことになる。
【０１２０】
また、継続して初期の閲覧者層を形成する最初でない入札者（論理的流札者）は、反復される新しい競売の閲覧費用支出の中で目標価格を上昇して入札に参与することにより適切な市場価格形成にも寄与できる。このような本発明の特徴を図１２に示す。
【０１２１】
言葉を付け加えると、共同購買方式や多量販売による割引方式の場合には、適正数量を販売してこそ、割引が適用されるので一定の購買者が確保されるまで購買者が消極的に接近するが、本発明によれば、たとえ一台の数量も販売されない時点であっても価格は段々引き下げられるため、ある瞬間には消費者の満足を引き出す価格時点に到達するようになる。即ち、多量の販売がされていない時点にも、製品の変動価格を把握しようとする必要性と好奇心が発生することにより、購買者は閲覧費を支払って現在価格を知ろうとする。
【０１２２】
購買者は、割引率によって物件を購入できる機会が反復的に生じて、販売者は既存競売モデルでは期待できなかった購買者を確保するようになり購買者と販売者が両方利得を享受するウイン・ウイン（Ｗｉｎ−Ｗｉｎ）モデルが具現されるのである。
【０１２３】
本発明の効果は、大きく分けて２点に要約できる。第一に既存に発生していた消費者及び購買者の価格調査活動の費用が製品の価格引下に還元されるということである。第二に販売する製品個々の単位（Ｕｎｉｔ）に入札番号を付与して購買者の競争を触発させて、製品販売量による追加割引を提供して製品の販売を促進させて、販売量を増大させるということである。
【０１２４】
このような本発明にしたがって販売者は、適正マージンと販売数量を確保して企業が永続できる条件を確保することができ、消費者は希望する手頃な価格で物品を購買し、多量に販売された物品により購買者相互情報交換及び販売者からの安定的なサービスも期待できるようになるのである。
【０１２５】
これで、本発明の目的が達成されたことを理解されるだろう。
【０１２６】
本発明は、実施例を中心に説明したが、これに限定されず、本発明の思想にしたがってその権利範囲は、請求の範囲による。
【図面の簡単な説明】
【０１２７】
【図１】本発明のシステム構成図を示した図面である。
【図２ａ】本発明のデータベーステーブルを示した図面である。
【図２ｂ】本発明のデータベーステーブルを示した図面である。
【図３】本発明の処理過程を示した順序図である。
【図４】スポンサーがある場合の処理過程を示した順序図である。
【図５】割引価格がある場合の処理過程を示した順序図である。
【図６】予約入札がある場合の処理過程を示した順序図である。
【図７】（ａ）から（ｄ）は、本発明の画面構成の一例を示した図面である。
【図８】本発明の競売概念を示した図面である。
【図９】一般的な購買パターンを説明した図面である。
【図１０】本発明の特徴を説明した図面である。
【図１１】一般的な需要供給による価格下落パターンを示した図面である。
【図１２】本発明の価格下落効果を示した図面である。
【図１】
0004535338.tif 000002
【図２ａ】
0004535338.tif 000003
【図２ｂ】
0004535338.tif 000004
【図３】
0004535338.tif 000005
【図４】
0004535338.tif 000006
【図５】
0004535338.tif 000007
【図６】
0004535338.tif 000008
【図７】
0004535338.tif 000009
【図８】
0004535338.tif 000010
【図９】
0004535338.tif 000011
【図１０】
0004535338.tif 000012
【図１１】
0004535338.tif 000013
【図１２】
0004535338.tif 000014